(57)【要約】【課題】下りデータチャネルに対する送達確認情報（ACK/NACK）及び下りチャネル状態を示す情報（CQI）の少なくとも一方を含む上り制御チャネルがシングルキャリア方式で複数のユーザ装置から送信される場合に、カザック符号系列数を数多く確保すること及び送信帯域の変動を少なくすることを図りながら、各ユーザ装置からの上り制御チャネルを多重すること。【解決手段】シングルキャリア方式で少なくとも上り制御チャネルを複数のユーザ装置から受信する基地局装置は、上り制御チャネルから、下りデータチャネルに対する肯定応答又は否定応答を示す送達確認情報及び下りチャネル状態を示すチャネル状態情報の少なくとも一方を抽出する抽出部と、チャネル状態情報及び前記送達確認情報をもとに、下りデータチャネルにリソースを割り当てるスケジューラと、下りデータチャネルを送信する送信部とを有する。上り制御チャネルは、当該ユーザ装置用の直交符号系列の全チップに同じ因子が乗算された系列を含む単位ブロックを１つ以上含む。【選択図】図７
2010114942.tif 000002
【特許請求の範囲】
【請求項１】
シングルキャリア方式で少なくとも上り制御チャネルを複数のユーザ装置から受信する基地局装置であって、
上り制御チャネルから、下りデータチャネルに対する肯定応答又は否定応答を示す送達確認情報及び下りチャネル状態を示すチャネル状態情報の少なくとも一方を抽出する抽出部と、
チャネル状態情報及び前記送達確認情報をもとに、下りデータチャネルにリソースを割り当てるスケジューラと、
下りデータチャネルを送信する送信部と、
を有し、前記上り制御チャネルは、当該ユーザ装置用の直交符号系列の全チップに同じ因子が乗算された系列を含む単位ブロックを１つ以上含むことを特徴とする基地局装置。
【請求項２】
前記直交符号系列が、カザック符号系列である
ことを特徴とする請求項１記載の基地局装置。
【請求項３】
前記因子はプラス１又はマイナス１である
ことを特徴とする請求項１記載の基地局装置。
【請求項４】
前記送達確認情報の示す内容は、１以上の単位ブロック各々に乗算されている一組の因子により表現される
ことを特徴とする請求項１記載の基地局装置。
【請求項５】
一部の単位ブロック複数個の各々に乗算されている因子が送達確認情報を表し、
別の一部の単位ブロック複数個の各々に乗算されている因子がチャネル状態情報を表す
ことを特徴とする請求項４記載の基地局装置。
【請求項６】
前記チャネル状態情報を表現する各ビットが、複数の単位ブロック各々に乗算されている一組の因子により表現される
ことを特徴とする請求項１記載の基地局装置。
【請求項７】
上位のビットに対応する単位ブロックの数は、下位のビットに対応する単位ブロックの数以上である
ことを特徴とする請求項６記載の基地局装置。
【請求項８】
上り制御チャネルに対するリソースの割当情報から、前記直交符号系列が導出されるように、割当情報及び直交符号系列間に所定の対応関係が設定されている
ことを特徴とする請求項１記載の基地局装置。
【請求項９】
前記対応関係は、前記専用帯域中の第１帯域および前記専用帯域中の第２帯域のそれぞれに、符号分割多重方式によって割当可能なユーザ多重数を定めるように設定される
ことを特徴とする請求項８記載の基地局装置。
【請求項１０】
シングルキャリア方式で少なくとも上り制御チャネルを複数のユーザ装置から受信する基地局装置で使用される受信方法であって、
上り制御チャネルから、下りデータチャネルに対する肯定応答又は否定応答を示す送達確認情報及び下りチャネル状態を示すチャネル状態情報の少なくとも一方を抽出する抽出ステップと、
チャネル状態情報及び前記送達確認情報をもとに、下りデータチャネルにリソースを割り当てるステップと、
下りデータチャネルを送信するステップと、
を有し、前記上り制御チャネルは、当該ユーザ装置用の直交符号系列の全チップに同じ因子が乗算された系列を含む単位ブロックを１つ以上含むことを特徴とする受信方法。
【請求項１１】
前記直交符号系列が、カザック符号系列である
ことを特徴とする請求項１０記載の受信方法。
【請求項１２】
前記因子はプラス１又はマイナス１である
ことを特徴とする請求項１０記載の受信方法。
【請求項１３】
前記送達確認情報の示す内容は、１以上の単位ブロック各々に乗算されている一組の因子により表現される
ことを特徴とする請求項１０記載の受信方法。
【請求項１４】
一部の単位ブロック複数個の各々に乗算されている因子が送達確認情報を表し、
別の一部の単位ブロック複数個の各々に乗算されている因子がチャネル状態情報を表す
ことを特徴とする請求項１３記載の受信方法。
【請求項１５】
前記チャネル状態情報を表現する各ビットが、複数の単位ブロック各々に乗算されている一組の因子により表現される
ことを特徴とする請求項１０記載の受信方法。
【請求項１６】
上位のビットに対応する単位ブロックの数は、下位のビットに対応する単位ブロックの数以上である
ことを特徴とする請求項１５記載の受信方法。
【請求項１７】
上り制御チャネルに対するリソースの割当情報から、前記直交符号系列が導出されるように、割当情報及び直交符号系列間に所定の対応関係が設定されている
ことを特徴とする請求項１０記載の受信方法。
【請求項１８】
前記対応関係は、前記専用帯域中の第１帯域および前記専用帯域中の第２帯域のそれぞれに、符号分割多重方式によって割当可能なユーザ多重数を定めるように設定される
ことを特徴とする請求項１７記載の受信方法。
【発明の詳細な説明】
【技術分野】
【０００１】
本発明は移動通信の技術分野に関し、特に移動通信システムで使用される基地局装置及び受信方法に関する。
【背景技術】
【０００２】
この種の技術分野では、次世代の通信システムに関する研究開発が急速に進められている。現在のところ想定されている通信システムでは、ピーク電力対平均電力比(PAPR:  Peak−to−Average  Power  Ratio)を抑制しつつカバレッジを広くする観点から、上りリンクにシングルキャリア方式を利用することが有望視されている。また、この通信システムでは、上下リンク共に無線リソースが、複数のユーザ間で共有されるチャネル(shared  channel)の形式で、各ユーザの通信状況等に応じて適宜割り当てられる。割当内容を決定する処理はスケジューリングと呼ばれる。上りリンクのスケジューリングを適切に行うため、各ユーザ装置はパイロットチャネルを基地局に送信し、基地局はその受信品質によって上りリンクのチャネル状態を評価する。また、下りリンクのスケジューリングを行うため、基地局はユーザ装置にパイロットチャネルを送信し、ユーザ装置はそのパイロットチャネルの受信品質に基づいて、チャネル状態を示す情報（CQI:  Channel  Quality  Indicator）を基地局に報告する。各ユーザ装置から報告されたCQIに基づいて、基地局は下りリンクのチャネル状態を評価し、下りリンクのスケジューリングを行う。
【０００３】
上り制御チャネルには、上りデータチャネルに付随して伝送されなければならない制御情報（必須制御情報又は第１制御情報）と、上りデータチャネルの有無によらず伝送される制御情報（第２制御情報）とがある。第１制御情報には、データチャネルの変調方式、チャネル符号化率等のようなデータチャネルの復調に不可欠な情報が含まれる。第２制御情報には、下りチャネルのCQI情報、下りデータチャネルの送達確認情報（ACK/NACK）、リソース割当要求等の情報が含まれる。従って、ユーザ装置は上り制御チャネルで、第１制御情報のみを、第２制御情報のみを、第１及び第２制御情報双方を伝送する可能性がある。
【０００４】
上りデータチャネルの伝送用にリソースブロック（無線リソース）が割り当てられた場合には、第１制御情報（及び必要に応じて第２制御情報）はそのリソースブロックで伝送されるが、上りデータチャネルが伝送されない場合には専用のリソース（専用の帯域）で第２制御チャネルを伝送することが検討されている。以下、そのようにして帯域を利用する例を概説する。
【０００５】
図１は上りリンクの帯域利用例を示す。図示の例では、大小２種類のデータサイズのリソース単位が用意されている。大きい方のリソースは1.25MHzの帯域幅FRB1及び0.5msのような持続時間TRBを有する。小さい方のリソースは375kHzの帯域幅FRB2及び0.5msの持続時間TRBを有する。持続時間は、単位伝送期間、送信時間間隔(TTI:  Transmission  Time  Interval)、サブフレーム等と言及されてもよい。これは、１つの無線パケットの期間に相当する。リソースは周波数軸方向に６つ並び、左右に小さなリソースが配置される。リソースの配置パターンは様々に設定可能であり、送信側及び受信側の双方で既知でありさえすればよい。図示の例では、大きなリソース（第２、第３、第４及び第５リソースブロック）中の一部の期間で、上りデータチャネルに付随する制御チャネル（第1制御チャネル）及び必要に応じて第２制御チャネルが伝送されるように、上りリンクのスケジューリングが行われる。また、小さなリソース（第１又は第６リソース）では、上りデータチャネルの伝送されない場合に制御チャネル（第２制御チャネル）が伝送されるように、ユーザ装置の送信タイミングが調整される。更に、或るユーザ装置の第1制御チャネルは小さなリソース２つを用いて伝送される。図示の例では、ユーザ装置Ａの第２制御チャネルは、第２サブフレームの第６リソースと第３サブフレームの第１リソースで伝送される。同様にユーザ装置Ｂの第２制御チャネルは、第３サブフレームの第６リソースと第４サブフレームの第１リソースで伝送される。このように、第２制御チャネルが周波数軸及び時間軸方向にホッピングしながら伝送されるので、時間及び周波数ダイバーシチ効果が得られ、第２制御チャネルが基地局で適切に復調される確実性を増やすことができる。
【０００６】
図２は上りリンクの別の帯域利用例を示す。図１の場合と同様に、大小２種類のデータサイズのリソースが用意されている。本実施例では、より小さなリソース（第１及び第６リソース）に関し、サブフレームの期間TRBが更に二分され、２つの細分期間が設定されている。図示の例では、或るユーザ装置Ａの第２制御チャネルは、第１サブフレームの第１細分期間（サブフレームの前半の期間）の第１リソースと、同じ第１サブフレームの第２細分期間（サブフレームの後半の期間）の第６リソースで伝送される。ユーザ装置Ｂの第２制御チャネルは、第１サブフレームの第１細分期間の第６リソースと、第１サブフレームの第２細分期間の第１リソースで伝送される。第３及び第５サブフレームでも同様な伝送が行われる。このように、第２制御チャネルが周波数軸及び時間軸方向にホッピングしながら伝送されるので、時間及び周波数ダイバーシチ効果が得られ、第２制御チャネルが基地局で適切に復調される確実性を増やすことができる。更にユーザ装置Ａの制御チャネルの伝送は１サブフレームの期間内に完了し、ユーザ装置Ｂの制御チャネルの伝送も１サブフレームの期間内に完了する。従ってこの例は上り制御チャネルの伝送遅延を短縮する観点から好ましい。この種の技術については、例えば非特許文献１に記載されている。
【先行技術文献】
【非特許文献】
【０００７】
【非特許文献１】3GPP，R1-061675
【発明の概要】
【発明が解決しようとする課題】
【０００８】
図１又は図２の小さなリソースに関し、「制御Ａ」又は「制御Ｂ」等のようにそのリソース全部がユーザ装置Ａ，Ｂ等で独占されるかのように描かれているが、リソースの有効利用の観点からは、複数のユーザ装置でリソースが共有されることも許容されるべきである。例えば複数のユーザ装置が周波数分割多重(FDM)方式で専用帯域のリソースを共有することが考えられる。しかしながら単にFDM方式でユーザの多重が行われると、１ユーザ当たりの占める帯域は狭くなり、帯域中に含まれるチップ数は少なくなる（チップレートは遅くなる）。その結果、ユーザ装置を区別するのに使用されるパイロットチャネルの直交符号系列数が少なくなり、干渉レベルの増加を招くおそれがある。更に、ユーザ多重数等に応じて上り制御チャネルの送信帯域幅が頻繁に変化することを許容すると、送信帯域幅の変更があったときに、その内容を基地局がユーザ装置にいちいち通知しなければならない。このことは、下り制御情報量（シグナリングオーバーヘッド）を増やし、データチャネルの伝送効率を低下させるおそれも生じる。また、W-CDMA方式の移動通信システムで行われているような符号分割多重（CDM）方式で専用帯域のリソースを共有することも考えられる。CDM方式では１ユーザの占める帯域は広く確保できる。しかしながら干渉電力レベルが大きくなり、信号品質の低下が懸念される。同一ユーザが送達確認情報（ACK/NACK）及びチャネル状態情報（CQI）をCDM方式で多重して送信する場合には、ピーク電力の増加を招くことも懸念される。
【０００９】
本発明の課題は、下りデータチャネルに対する送達確認情報（ACK/NACK）及び下りチャネル状態を示す情報（CQI）の少なくとも一方を含む上り制御チャネルがシングルキャリア方式で複数のユーザ装置から送信される場合に、直交符号系列数を数多く確保すること及び送信帯域の変動を少なくすることを図りながら、各ユーザ装置からの上り制御チャネルを多重することである。
【課題を解決するための手段】
【００１０】
本基地局装置は、
シングルキャリア方式で少なくとも上り制御チャネルを複数のユーザ装置から受信する基地局装置であって、
上り制御チャネルから、下りデータチャネルに対する肯定応答又は否定応答を示す送達確認情報及び下りチャネル状態を示すチャネル状態情報の少なくとも一方を抽出する抽出部と、
チャネル状態情報及び前記送達確認情報をもとに、下りデータチャネルにリソースを割り当てるスケジューラと、
下りデータチャネルを送信する送信部と、
を有し、前記上り制御チャネルは、当該ユーザ装置用の直交符号系列の全チップに同じ因子が乗算された系列を含む単位ブロックを１つ以上含む。
【００１１】
本受信方法は、
シングルキャリア方式で少なくとも上り制御チャネルを複数のユーザ装置から受信する基地局装置で使用される受信方法であって、
上り制御チャネルから、下りデータチャネルに対する肯定応答又は否定応答を示す送達確認情報及び下りチャネル状態を示すチャネル状態情報の少なくとも一方を抽出する抽出ステップと、
チャネル状態情報及び前記送達確認情報をもとに、下りデータチャネルにリソースを割り当てるステップと、
下りデータチャネルを送信するステップと、
を有し、前記上り制御チャネルは、当該ユーザ装置用の直交符号系列の全チップに同じ因子が乗算された系列を含む単位ブロックを１つ以上含む。
【発明の効果】
【００１２】
開示の基地局装置及び受信方法によれば、下りデータチャネルに対する送達確認情報（ACK/NACK）及び下りチャネル状態を示す情報（CQI）の少なくとも一方を含む上り制御チャネルがシングルキャリア方式で複数のユーザ装置から送信される場合に、直交符号系列数を数多く確保すること及び送信帯域の変動を少なくすることを図りながら、各ユーザ装置からの上り制御チャネルを多重することができる。
【図面の簡単な説明】
【００１３】
【図１】移動通信システムで使用される帯域利用例を示す図である。
【図２】移動通信システムで使用される別の帯域利用例を示す図である。
【図３】本発明の一実施例によるユーザ装置のブロック図を示す。
【図４】TTI、サブフレーム及びブロックの一例を示す図である。
【図５】ロングブロックLB毎に乗算される因子の具体例を示す図である。
【図６】カザック符号の性質を説明するための図である。
【図７】本発明の一実施例による基地局装置のブロック図を示す。
【図８】本発明の一実施例による動作手順を示すフローチャートである。
【図９】報知情報及び割当番号から符号情報を特定するためのフローチャートである。
【図１０】図９のフローを実行することで実現されるカザック符号、巡回シフト量及び帯域の設定例を示す図である。
【図１１】ブロック拡散符号を利用する本発明の一実施例によるユーザ装置のブロック図を示す。
【図１２】ブロック拡散符号を利用する本発明の一実施例による基地局装置のブロック図を示す。
【図１３】ロングブロックに乗算される因子を示す図である。
【図１４】ロングブロックに乗算される因子及びブロック拡散符号の具体例を示す図である。
【図１５】ロングブロックに乗算される第1〜第１２因子及びブロック拡散符号の具体例を示す図である。
【図１６】ブロック拡散符号を利用する本発明の一実施例によるユーザ装置のブロック図を示す。
【図１７】ロングブロックにマッピングされる直交符号系列が乗算された送信データ系列の具体例を示す。
【図１８】ブロック拡散符号を利用する本発明の一実施例による基地局装置のブロック図を示す。
【発明を実施するための形態】
【００１４】
本発明の一形態によれば、送達確認情報及びチャネル状態情報の少なくとも一方を含む上り制御チャネルは、上りデータチャネルの送信用にリソースが割り当てられていない場合に、所定の専用帯域で送信される。上り制御チャネルは、ユーザ装置用の直交符号系列（典型的には、カザック符号系列）の全チップに同じ因子が乗算された単位ブロック系列（ロングブロック）を複数個含む。従って基地局装置は複数のユーザ装置からの上り制御チャネルを単位ブロック系列毎に処理すれば、ユーザ間の直交性を崩さずに複数のユーザを適切に分離できる。送達確認情報又はチャネル状態情報の情報量は、比較的少ないので、カザック符号に乗算する因子の１つ以上でそれらを充分に表現することができる。
【００１５】
本発明の一形態によれば、上りデータチャネルに付随しない上り制御チャネルは、何らかの乗算因子と共にロングブロック数分だけ反復されたカザック符号系列と、カザック符号系列より成るパイロットチャネルとで構成される。従って基地局装置は上り制御チャネルをロングブロック毎に又はショートブロック毎に処理する限り、カザック符号の性質を損なわずに済む。このことは、ユーザ間の直交分離性が良いことだけでなく、ロングブロックのカザック符号もチャネル推定やパスサーチ等の参照信号として利用できることを意味する。パイロットチャネルが含まれる少数のショートブロックだけでなく、上り制御チャネルに多数含まれているロングブロックを用いてチャネル推定等を行うことができるので、チャネル推定精度やパスサーチ精度の向上に大きく寄与できる。
【００１６】
本発明の一形態によれば、多数のユーザ装置からの上り制御チャネルの多重は、カザック符号による符号多重（CDM）も周波数多重（FDM）も行われてよいが、CDMが優先して行われる。このため、ユーザ装置の送信帯域を変更する必要性をなるべく抑制することができる。この場合におけるFDMでは、１／（ユーザ多重数）ほど狭く帯域を細分しなくてよい。従って、上り制御チャネルの送信帯域は或る低度広く確保でき、ユーザを区別する符号系列数を数多く確保できる。FDMで用意される帯域の種類は少なく限定されるので、送信帯域が頻繁に変わることも抑制される。送信帯域幅を頻繁に変えることをなるべく許容しない別の理由は、上り制御チャネルの送信帯域幅を頻繁に変えても、送達確認情報（ACK/NACK）やチャネル状態情報（CQI）のデータサイズは比較的小さいので、信号品質を大きく向上させることは困難だからである。むしろ送信帯域幅の変化を余り許容しないようにしてオーバーヘッドを減らし、信号品質については送信電力制御（パワーコントロール）で対処した方が得策である。
【００１７】
本発明の一態様によれば、同一内容の複数個の単位ブロック各々に乗算される因子一組（ブロック拡散符号）が直交符号系列を表すように用意されてもよい。単位ブロックは直交符号系列の全チップに同じ因子（ブロック拡散符号とは別に用意された因子）が乗算された系列を含んでよい。ブロック拡散符号を用意することで、可能な符号多重総数を更に増やすことができる。これにより、ユーザ多重数の増減に起因して送信帯域が頻繁に変わることを抑制する効果が更に促される。
【実施例１】
【００１８】
図３は本発明の一実施例によるユーザ装置のブロック図を示す。図３には、CQI推定部３０２、ACK/NACK判定部３０４、ブロック毎の変調パターン生成部３０６、ブロック毎の変調部３０８、離散フーリエ変換部（DFT）３１０、サブキャリアマッピング部３１２、逆高速フーリエ変換部（IFFT）３１４、サイクリックプレフィックス（CP）付加部３１６、多重部３１８、RF送信回路３２０、電力増幅器３２２、デュプレクサ３２４、符号情報特定部３３０、カザック符号生成部３３２、巡回シフト部３３４、周波数設定部３３６及びパイロット信号生成部３３８が描かれている。
【００１９】
CQI推定部３０２は、下りチャネル状態を示す量−即ちチャネル状態情報（CQI:  Channel  Quality  Indicator）を測定し、出力する。チャネル状態情報は、例えば、基地局から送信されたパイロットチャネルの受信品質（SIR、SINR等で表現されてよい）を測定し、その測定値を所定の数値に変換することで導出される。例えば、測定された受信品質（SIR）が、３２段階の内のどのレベルであるかを示す数値に変換され、５ビットで表現可能なCQIが導出されてもよい。
【００２０】
ACK/NACK判定部３０４は、受信した下りデータチャネルを構成するパケット各々に誤りがあるか否かを判定し、判定結果を送達確認情報として出力する。送達確認情報は、誤りがなかったことを示す肯定応答（ACK）又は誤りがあったことを示す否定応答（NACK）で表現されてよい。送達確認情報は、受信パケットに対する誤りの有無を表現できればよいので、本質的には１ビットで表現できるが、より多くのビット数で表現されてもよい。
【００２１】
ブロック毎の変調パターン生成部３０６は、チャネル状態情報（CQI）及び送達確認情報（ACK/NACK）をブロック毎の変調パターンにそれぞれ整える。所定数個のブロックがサブフレームに含まれ、サブフレームはリソースの割当単位である送信時間間隔（TTI:  Transmission  Time  Interval）を構成する。
【００２２】
図４はブロック、サブフレーム及びTTIの一例を示す。図示の例では、1.0msのTTIの中に、0.5msのサブフレームが２つ含まれ、各サブフレームは６つのロングブロック（LB）と２つのショーとブロック（SB）とを含み、ロングブロックは例えば66.7μsであり、ショートブロックは例えば33.3μsである。これらの数値例は単なる一例であり、必要に応じて適宜変更可能である。一般に、ロングブロックは受信側で未知のデータ（制御チャネルやデータチャネル等）を伝送するのに使用され、ショートブロックは受信側で既知のデータ（パイロットチャネル等）を伝送するのに使用される。図示の例では、１つのTTIに１２個のロングブロック（LB1〜LB12）及び４つのショートブロック（SB1〜SB4）が含まれる。
【００２３】
図３のブロック毎の変調パターン生成部３０６は、この１２個のブロック（LB1〜LB12）の内の１つ以上とチャネル状態情報（CQI）を表現するビットとの対応関係、１２個のブロック（LB1〜LB12）の内の１つ以上と送達確認情報（ACK/NACK）を表現するビットとの対応関係を決定する。ユーザ装置は、上り制御チャネルでチャネル状態情報だけを送信する場合と、送達確認情報だけを送信する場合と、それら双方を送信する場合とがある。従って、（Ａ）１２個のブロックが全てチャネル状態情報に関連付けられるかもしれないし、（Ｂ）１２個のブロック全てが送達確認情報に関連付けられるかもしれないし、（Ｃ）１２個のブロックの一部がチャネル状態情報に及び残りが送達確認情報に関連付けられるかもしれない。いずれにせよ、そのような対応関係に基づいて、１２個のブロック各々に１つの因子が用意され、１つのTTIにつき全部で１２個の因子（第１因子〜第１２因子）が用意される。
【００２４】
図５はロングブロックに関連付けられる因子の具体例を示す。図示の（Ａ）では、送達確認情報（ACK/NACK）だけが送信される様子が示されている。一例として、肯定応答（ACK）については１２個の因子が全て「１」であり、否定応答（NACK）については１２個の因子が全て「−１」である。図５では、否定応答（NACK）の別の例として「＋１」及び「−１」が混在した因子の組み合わせも示されている。これらの因子の具体的数値は一例に過ぎず、肯定応答に使用される１２個の因子と否定応答に使用される１２個の因子が全体として異なっていればよい。また、送達確認情報は１２個に限らず１つ以上の因子で表現されてよい。例えば、１つの因子でACK/NACKが区別されてもよいし、（＋１，＋１）と（＋１，−１）のように２つの因子でACK/NACKが区別されてもよいし、それより多くの因子でACK/NACKが区別されてもよい。１つの因子でACK/NACKを区別することは最も簡易な判定であるが、より判定精度を向上させる観点からは、複数の因子の位相変化を利用してACK/NACKを区別することが好ましい。更に、因子は±１だけでなく、一般的には任意の複素数でよい。但し、因子が±１の場合は単なる符号反転で演算が可能な点で有利である。後述されるように或るカザック符号系列の全チップに同じ因子が乗算されればよいからである。
【００２５】
ACKがNACKであるように基地局で誤認定された場合は、再送不要なパケットがユーザ装置に再送されてしまうにすぎない。しかしながら、NACKがACKであるように誤認定されると、ユーザ装置はパケット合成に必要な再送パケットが得られず、パケットロスが発生したり、新規パケット同士を不適切にパケット合成して著しい品質劣化を招くおそれがある。従って１以上の因子で表現されるACK/NACKのパターンは、NACKがACKに誤認定されるのを防ぐ観点から設定されることが好ましい。
【００２６】
（Ｂ）に示される例では、チャネル状態情報（CQI）だけが送信される様子が示されている。図示の例ではCQIは５ビットで表現され、各ビットは上位ビットから順にCQI1,CQI2, CQI2, CQI3, CQI4, CQI5で表現されるものとする。１つのロングブロックは５ビットの内の何れか１ビットに関連付けられる。言い換えれば、１２個のブロック各々に用意される因子は、CQI1〜CQI5の何れかである。図示の例では、１つのTTIの中で上位ビットの送信回数が下位ビットの送信回数以上になるように工夫がなされている。最上位ビットCQI1は４ブロックに、CQI2は３ブロックに、CQI3は２ブロックに、CQI4も２ブロックに、そして最下位ビットCQI5は１ブロックに割り当てられている。このようにすることで、何らかの誤りが生じた場合であっても、なるべくCQIの値が激変しないようにすることができる。
【００２７】
（Ｃ）に示される例では、送達確認情報（ACK/NACK）及びチャネル状態情報（CQI）が同一ユーザから同一TTIで送信される様子が示される。図示の例では、３ブロックで送達確認情報（ACK/NACK）に関連付けられ、残りの９ブロックがチャネル状態情報（CQI）に関連付けられている。同一ユーザが送達確認情報（ACK/NACK）及びチャネル状態情報（CQI）を送信する場合でも、複数のTTIが利用可能ならば、（Ａ）や（Ｂ）の方法が利用されてもよい。また、セル中央からセル端に移動したユーザのようにチャネル状態が当初よりも悪くなった場合には、CQIの報告を止めて、ACK/NACKのフィードバックだけが行われるようにしてもよい。上り制御チャネルでどのような情報を送信するかについては、例えば上位レイヤのシグナリングで適宜変更されてもよい。
【００２８】
このように図３のブロック毎の変調パターン生成部３０６は、１２個のブロック各々に１つの因子を用意し、１つのTTIにつき全部で１２個の因子（第１因子〜第１２因子）を用意する。
【００２９】
図３のブロック毎の変調部３０８は、ユーザ装置に割り当てられたカザック符号系列（系列の長さはロングブロック１つ分に関連付けることができる）の全チップに第１因子を乗算して１番目のロングブロックを構成し、同じカザック符号系列の全チップに第２因子を乗算して２番目のロングブロックを構成し、以下同様に同じカザック符号系列の全チップに第１２因子を乗算することで１２番目のロングブロックを構成し、１つのTTIで送信される情報系列を導出する。全ブロックに共通に使用されるカザック符号系列は、ユーザ装置を区別するために在圏セルで割り当てられた直交符号系列であり、カザック符号の性質については後述される。
【００３０】
離散フーリエ変換部（DFT）３１０は離散フーリエ変換を行い、時系列の情報を周波数領域の情報に変換する。
【００３１】
サブキャリアマッピング部３１２は、周波数領域でのマッピングを行う。特に複数のユーザ装置の多重化に周波数分割多重化（FDM）方式が使用される場合には、サブキャリアマッピング部３１２は、周波数設定部３３６で設定されている帯域に合わせて信号をマッピングする。FDM方式には、ローカライズド(localized)FDM方式及びディストリビュート(distributed)FDM方式の２種類がある。ローカライズドFDM方式では、周波数軸上で個々のユーザに連続的な帯域がそれぞれ割り当てられる。ディストリビュートFDM方式では、広帯域にわたって（上り制御チャネル用の専用帯域FRB2全体にわたって）断続的に複数の周波数成分を有するように下り信号が作成される。
【００３２】
逆高速フーリエ変換部（IFFT）３１４は、逆フーリエ変換を行うことで、周波数領域の信号を時間領域の信号に戻す。
【００３３】
サイクリックプレフィックス（CP）付加部３１６は、送信する情報にサイクリックプレフィックス（CP:  Cyclic  Prefix）を付加する。サイクリックプレフィックス（CP）は、マルチパス伝搬遅延および基地局における複数ユーザ間の受信タイミングの差を吸収するためのガードインターバルとして機能する。
【００３４】
多重部３１８は、送信する情報にパイロットチャネルを多重し、送信シンボルを作成する。パイロットチャネルは、図４のフレーム構成で示されるショートブロック（SB1,SB2）で伝送される。
【００３５】
RF送信回路３２０は、送信シンボルを無線周波数で送信するためのディジタルアナログ変換、周波数変換及び帯域制限等の処理を行う。
【００３６】
電力増幅器３２２は送信電力を調整する。
【００３７】
デュプレクサ３２４は、同時通信が実現されるように、送信信号及び受信信号を適切に分離する。
【００３８】
符号情報特定部３３０は、ユーザ装置で使用されるカザック符号系列（系列番号）、カザック符号系列の巡回シフト量及び送信帯域に関する情報を含む符号情報を特定する。符号情報は、報知チャネルからの報知情報から導出されてもよいし、基地局からの個別的に通知されてもよい。個別的な通知は例えばL3制御チャネルのような上位レイヤのシグナリングでなされてもよい。後述の第２実施例で説明されるように符号情報特定部３３０は、複数のブロック各々に乗算される因子一組（ブロック拡散符号系列）がどの直交符号系列を表すかも特定する。
【００３９】
カザック符号生成部３３２は、符号情報で特定されている系列番号に従ってカザック符号系列を生成する。
【００４０】
巡回シフト部３３４は、符号情報で特定されている巡回シフト量に従って、カザック符号系列を巡回式に並べ直すことで別の符号を導出する。
【００４１】
以下、カザック符号(CAZAC  code)について概説する。
【００４２】
図６に示されるように、ある１つのカザック符号Ａの符号長がＬであるとする。説明の便宜上、この符号長はＬサンプル又はＬチップの期間に相当するものと仮定するが、このような仮定は本発明に必須ではない。このカザック符号Ａの末尾のサンプル（Ｌ番目のサンプル）を含む一連のΔ個のサンプル（図中、斜線で示される）を、カザック符号Ａの先頭に移行することで、図６下側に示されるような別の符号Ｂが生成される。この場合において、Δ＝０〜（Ｌ−１）に関してカザック符号Ａ及びＢは互に直交する。即ち、ある１つのカザック符号とそのカザック符号を循環的に(cyclically)シフトさせた符号は互に直交する。従って符号長Ｌのカザック符号の系列が１つ用意された場合には、理論上Ｌ個の互に直交する符号群を用意することができる。或るカザック符号Ａと、カザック符号Ａの巡回シフトでは得られない別のカザック符号Ｃとは互いに直交しない。しかしながら、カザック符号Ａとカザック符号でないランダム符号との相互相関値は、カザック符号Ａとカザック符号Ｃとの相互相関値よりかなり大きい。従ってカザック符号は非直交の符号同士の相互相関量（干渉量）を抑制する観点からも好ましい。
【００４３】
本実施例では、このような性質を有する一群のカザック符号（或るカザック符号を巡回式にシフトさせることで導出される符号系列群）の中から選択されたカザック符号が、個々のユーザ装置に使用される。但し、本実施例ではＬ個の互いに直交する符号群のうち、基本となるカザック符号をΔ＝ｎ×ＬΔだけ循環的にシフトさせることで得られるＬ／ＬΔ個の符号が、移動局のパイロットチャネルとして実際に使用される（ｎ＝０，１，...，(Ｌ−１)／ＬΔ）。ＬΔはマルチパス伝搬遅延量に基づいて決定される量である。このようにすることで、個々のユーザ装置から送信される上り制御チャネルは、マルチパス伝搬環境化でも互に直交関係を適切に維持できる。カザック符号についての詳細は、例えば次の文献に記載されている：D.C.Chu,  "Polyphase  codes  with  good  periodic  correlation  properties",  IEEE  Trans.Inform.Theory,vol.IT-18,pp.531-532,July  1972；3GPP,R1-050822,Texas  Instruments,  "On  allocation  of  uplink  sub-channels  in  EUTRA  SC-FDMA"。
【００４４】
図３の周波数設定部３３６は、複数のユーザ装置からの上り制御チャネルについて周波数分割多重(FDM)方式が適用される場合に、各ユーザ装置がどの周波数を利用すべきかを指定する。
【００４５】
パイロット信号生成部３３８は、上り制御チャネルに含めるパイロットチャネルを用意する。上述したようにパイロットチャネルは、図４のフレーム構成で示されるショートブロック（SB1,SB2）で伝送される。パイロットチャネルも個々のユーザ装置に割り当てられた何らかのカザック符号で構成される。パイロットチャネル用のカザック符号も系列番号及び巡回シフト量で特定されてよい。一般にロングブロック（LB）とショートブロック（SB）の長さ、期間又はチップ数は異なるので、ロングブロック（LB）に含まれるカザック符号CLとショートブロック（SB）に含まれるカザック符号CSは別々に用意されてよい。但し、双方とも同じユーザ装置について使用されるので、カザック符号CL及びCSの間に何らかの関係があってもよい（例えば、CLの一部がCSを構成してもよい。）。
【００４６】
図７は本発明の一実施例による基地局装置を示す。図７には、デュプレクサ７０２、RF受信回路７０４、受信タイミング推定部７０６、高速フーリエ変換部（FFT）７０８、チャネル推定部７１０、サブキャリアデマッピング部７１２、周波数領域等化部７１４、逆離散フーリエ変換部（IDFT）７１６、復調部７１８、再送制御部７２０、スケジューラ７２２及び符号情報設定部７２４が描かれている。
【００４７】
デュプレクサ７０２は、同時通信が実現されるように、送信信号及び受信信号を適切に分離する。
【００４８】
RF受信回路７０４は、受信シンボルをベースバンドで処理するためにディジタルアナログ変換、周波数変換及び帯域制限等の処理を行う。
【００４９】
受信タイミング推定部７０６は、受信信号中の同期チャネル又はパイロットチャネルに基づいて受信タイミングを特定する。
【００５０】
高速フーリエ変換部（FFT）７０８は、フーリエ変換を行い、時系列の情報を周波数領域の情報に変換する。
【００５１】
チャネル推定部７１０は、上りパイロットチャネルの受信状態に基づいて上りリンクのチャネル状態を推定し、チャネル補償を行うための情報を出力する。
【００５２】
サブキャリアデマッピング部７１２は、周波数領域でのデマッピングを行う。この処理は個々のユーザ装置で行われた周波数領域でのマッピングに対応して行われる。
【００５３】
周波数領域等化部７１４は、チャネル推定値に基づいて受信信号の等化を行う。
【００５４】
逆離散フーリエ変換部（IDFT）７１６は、逆離散フーリエ変換を行うことで、周波数領域の信号を時間領域の信号に戻す。
【００５５】
復調部７１８は受信信号を復調する。本発明に関しては、上り制御チャネルが復調され、下りチャネルのチャネル状態情報（CQI）及び／又は下りデータチャネルに対する送達確認情報（ACK/NACK）が出力される。
【００５６】
再送制御部７２０は、送達確認情報（ACK/NACK）の内容に応じて新規パケット又は再送パケットを用意する。
【００５７】
スケジューラ７２２は、下りチャネルのチャネル状態情報（CQI）の良否や他の判断基準に基づいて、下りリンクのリソース割り当て内容を決定する。また、各ユーザ装置から送信されるパイロットチャネルの受信結果や他の判断基準に基づいて、上りリンクのリソース割り当ての内容を決定する。決定された内容は、スケジューリング情報として出力される。スケジューリング情報は、信号の伝送に使用される周波数、時間、伝送フォーマット（データ変調方式及びチャネル符号化率等）等を特定する。
【００５８】
符号情報設定部７２４は、スケジューラによる割り当て結果に基づき，上りリンクのユーザ装置が使用するカザック符号を示す系列番号、巡回シフト量、使用可能な周波数帯域等を含む符号情報を特定する。符号情報は報知チャネルで各ユーザ装置に共通に通知されてもよいし、個々のユーザ装置に個別に通知されてもよい。前者の場合各ユーザ装置は自装置用の特定の符号情報を報知情報から一意に導出することを要する。
【００５９】
図８は本発明の一実施例による動作手順を示す。この動作例では全ユーザ装置に関連する一般的な符号情報が報知チャネル（BCH）で送信される。個々のユーザ装置は自装置に特有の符号情報を報知情報から一意に導出する。一般的な符号情報は、例えば、セル内で使用されるカザック符号系列がＮ系列（Ｃ＃１，Ｃ＃２，...，Ｃ＃Ｎ）あること、各系列について巡回シフト量はＭ個（０，ＬΔ，...，（Ｍ−１）×ＬΔ）あること、周波数多重方式(FDM)が使用され、利用可能な帯域はＦ通り（Ｂｗ１，Ｂｗ２，...，ＢｗＦ）あること等を含んでよい。
【００６０】
ステップＢ１では、基地局装置で下りリンクのスケジューリングが行われ、下り制御チャネル（L1/L2制御チャネル）、下りデータチャネル及びパイロットチャネルがユーザ装置に送信される。
【００６１】
ステップＭ１では、ユーザ装置は下り制御チャネルに含まれている情報に基づいて、上り制御チャネルで使用する符号に関する情報（そのユーザ装置用の符号情報）を特定する。
【００６２】
図９はステップM1で使用されてもよい符号情報の特定方法例を示す。簡明化のため、カザック符号系列は２系列（Ｃ＃１，Ｃ＃２）用意され、各系列について巡回シフト量は３個（０，ＬΔ，２ＬΔ）用意され、利用可能な帯域は２通り（Ｂｗ１，Ｂｗ２）用意されているものとする。従って、２×３×２＝１２通りのユーザ装置を区別することができる。数値例は一例に過ぎず、適切な他の如何なる数値が使用されてもよい。
【００６３】
ステップＳ１では、下りL1/L2制御チャネルで指定された自装置の割当番号Ｐ（＝１，２，...，１２）が何であるかが確認される。
【００６４】
ステップＳ２では割当番号Ｐが３より大きいか否かが判定される。判定結果がＮｏの場合（Ｐ＝１，２，３の場合）、系列番号はＣ＃１、シフト量は（Ｐ−１）×ＬΔ及び帯域はＢｗ１に特定される。割当番号Ｐが３より大きかった場合、フローはステップＳ３に進む。
【００６５】
ステップＳ３では割当番号Ｐが６より大きいか否かが判定される。判定結果がＮｏの場合（Ｐ＝４，５，６の場合）、系列番号はＣ＃１、シフト量は（Ｐ−４）×ＬΔ及び帯域はＢｗ２に特定される。割当番号Ｐが６より大きかった場合、フローはステップＳ４に進む。
【００６６】
ステップＳ４では割当番号Ｐが９より大きいか否かが判定される。判定結果がＮｏの場合（Ｐ＝７，８，９の場合）、系列番号はＣ＃２、シフト量は（Ｐ−７）×ＬΔ及び帯域はＢｗ１に特定される。割当番号Ｐが９より大きかった場合（Ｐ＝１０，１１，１２の場合）、系列番号はＣ＃２、シフト量は（Ｐ−１０）×ＬΔ及び帯域はＢｗ２に特定される。
【００６７】
図１０は図９のフローを実行することで実現されるカザック符号、巡回シフト量及び帯域を例示する。図示されているように、先ず同一系列のカザック符号による符号多重(CDM)方式でユーザが多重される。ユーザ数が更に増えると別の帯域で同じカザック符号系列によりユーザが符号多重される。以後利用可能な帯域各々でCDMが行われる。言い換えれば、CDMもFDMも行われるが、CDMが優先される。或るカザック符号系列による符号多重及び周波数多重で区別可能なユーザ数を上回るユーザを多重する場合は、別のカザック符号系列が用意され、CDMにより、CDM及びFDMにより、ユーザが多重される。セル内で使用されるカザック符号系列がＮ系列（Ｃ＃１，Ｃ＃２，...，Ｃ＃Ｎ）用意され、各系列について巡回シフト量がＭ個（０，ＬΔ，...，（Ｍ−１）×ＬΔ）用意され、周波数多重方式(FDM)が使用され、利用可能な帯域はＦ通り（Ｂｗ１，Ｂｗ２，...，ＢｗＦ）用意されていたとする。この場合、カザック符号の系列番号は、
（Ｐ／（Ｍ×Ｆ））の小数点以下切り上げ値
で表現され、帯域は、
（（Ｐ−（ｎ−１）×（Ｍ×Ｆ））／Ｍ）番目
が使用され、巡回シフト量は、
Ｐ−（（ｎ−１）×（Ｍ×Ｆ））−（ｆ−１）×Ｍ＝ＰｍｏｄＭ
のＬΔ倍で表現される。
【００６８】
図９及び図１０に関して説明された例では、割当番号又はユーザ多重数が３を超えた時点で別の帯域Ｂｗ２が使用され始めている。しかしながら、ユーザ多重数が３より大きく６以下の場合でも同じ帯域Ｂｗ１を利用し、その代わりに別のカザック符号系列Ｃ＃２を利用することも考えられる。カザック符号Ｃ＃１とＣ＃２は互いに循環シフトで導出できない関係にあり、非直交である。しかしながら相互相関値は比較的小さくて済むからである。
【００６９】
このようにして報知情報及び割当情報Ｐからユーザ装置各自の符号情報が特定される。特定された符号情報は、図３のカザック符号生成部３３２、巡回シフト部３３４、周波数設定部３３６及びパイロット信号生成部３３８に通知される。
【００７０】
図８のステップＭ２では、下りデータチャネルのパケット各々について誤りの有無を判定する。誤り検出は例えば巡回冗長検査(CRC)法で行われてもよいし、当該技術分野で既知の適切な他の如何なる誤り検出法が行われてもよい。誤りがなかったこと（又は誤りがあったとしても許容範囲内であったこと）を示す肯定応答（ACK）又は誤りのあったことを示す否定応答（NACK）がパケット毎に判定され、肯定応答（ACK）及び否定応答（NACK）は送達確認情報をなす。
【００７１】
ステップＭ３では、下りパイロットチャネルの受信品質を測定し、その測定値を或る範囲内の数値に変換することで、チャネル状態情報（CQI）が導出される。例えば、受信品質の良否が３２段階で表現される場合に、現在の受信品質(SIR等)がどのレベルであるかを示す数値に変換することで、５ビットで表現可能なCQIが導出される。
【００７２】
ステップＭ２及びＭ３がこの順序で行われることは必須ではない。送達確認情報の判定及びチャネル状態情報の測定は適切な如何なる時点で行われてもよい。
【００７３】
ステップＭ４では、送達確認情報（ACK/NACK）及びチャネル状態情報（CQI）の双方又は一方を基地局に通知するための上り制御チャネルが作成される。上述したように、図３のブロック毎の変調パターン生成部では、１２個のブロック各々に１つの因子が用意され、１つのTTIにつき全部で１２個の因子（第１因子〜第１２因子）が用意される。１２個の因子の１以上が送達確認情報又はチャネル状態情報を表す。上り制御チャネルは図４及び図５に示されるようなフレーム構成を有する。例えば、ユーザ装置に割り当てられた１つのカザック符号系列（巡回シフト済み）全体に第１因子を乗算することで、第１のロングブロック（LB1）が作成される。同じカザック符号系列に第２因子を乗算することで、第２のロングブロック（LB2）が作成される。以下同様に同じカザック符号にＫ番目の因子を乗算することで、Ｋ番目のロングブロック(LBK)が作成される。こうして、１２個のロングブロックを含む上り制御チャネル用のフレームが作成される。より正確にはそのフレームに、カザック符号より成るパイロットチャネルも含まれる。
【００７４】
このようにして作成された上り制御チャネルはユーザ装置から基地局に専用帯域で送信される。
【００７５】
ステップＢ２では、基地局装置が複数のユーザ装置から上り制御チャネルを受信し、復調する。各ユーザ装置は同様な上り制御チャネルを送信するが、それらは異なる巡回シフト量のカザック符号系列、異なる帯域、又は異なる系列のカザック符号を使用する。上述したように、各ロングブロックではカザック符号全体に１つの因子が乗算されているに過ぎないので、基地局装置は各ユーザ装置から受信した上り制御チャネルを同相で加算できる。従って、同一系列の異なる巡回シフト量のカザック符号間の直交性は、崩れずに済むので、基地局装置は、各ユーザ装置からの信号を直交分離できる。非直交のカザック符号が使用されていたとしても、ランダムシーケンスが使用される場合よりは低い干渉レベルでユーザ装置を区別することができる。更に、個々のユーザ装置に関する上り制御チャネルに使用された第１乃至第１２因子の内容を判別することで、送達確認情報及び／又はチャネル状態情報の内容を判別することができる。
【００７６】
ステップＢ３では、上り制御チャネルでユーザ装置から報告された送達確認情報（ACK/NACK）及び／又はチャネル状態情報（CQI）に基づいて再送制御及びリソース割当等の処理が行われる。
【実施例２】
【００７７】
図１１はブロック拡散符号を利用する本発明の第２実施例によるユーザ装置を示す。図示のユーザ装置は図３のユーザ装置と概ね同じであるが、ブロック拡散符号(BLSC:  BLock  Spreading  Code)を利用する点が大きく異なる。図１１にはブロック拡散部３３５が備わっている。ブロック拡散部３３５は、所定数の複数個の因子一組（ブロック拡散符号）を用意し、各因子はロングブロック（LB）各々に乗算される。ブロック拡散符号は直交符号系列であり、どの直交符号系列が使用されるかについては符号情報特定部３３０からの情報で指定される。
【００７８】
図１２はブロック拡散符号を利用する本発明の第２実施例による基地局装置を示す。図示の基地局装置は図７の基地局装置と概ね同じであるが、ブロック拡散符号を利用する点が大きく異なる。図１２の基地局装置では、符号情報設定部７２４がカザック符号系列を示す系列番号、巡回シフト量及び使用可能な周波数帯域に加えて、フロック拡散符号が何であるかを示す情報（符号情報）も指定する。
【００７９】
図１３はブロック拡散符号が乗算されていない第１ユーザ装置UE1及び第２ユーザ装置UE2のサブフレームを示す。第１及び第２ユーザ装置は共に或るカザック符号系列（CAZAC1）を使用するが、第２ユーザ装置は第１ユーザ装置とは異なる巡回シフト量Δを使用する。従って各ユーザ装置から送信される２つのサブフレームは互いに直交する。「Mod.a」は第１ユーザ装置UE１に関する最初のロングブロックに変調されるデータ−即ち乗算される因子−を表す。「Mod.a」〜「Mod.f」は第１ユーザ装置UE１に関する第１因子〜第６因子（又は第７〜第８因子）に相当する。「Mod.u」〜「Mod.z」は第２ユーザ装置UE２に関する第１因子〜第６因子（又は第７〜第８因子）に相当する。
【００８０】
図１４は第１及び第２ユーザ装置UE1,UE2各々のロングブロックにブロック拡散符号が乗算されている様子を示す。図示の例では、２つのロングブロック各々に１つずつ或る因子が（変調データとは別に）用意される。この因子はブロック拡散符号（BLSC）を構成し、図中破線枠で囲まれているように、第１ユーザ装置UE１については直交符号（１，１）が、第２ユーザ装置UE２については直交符号（１，−１）がそれぞれ用意される。第１実施例で説明したように１以上のロングブロックに同じ因子（値）が乗算される限り、ロングブロックを構成するカザック符号の直交性は失われない。従って図示のように複数のブロック各々に乗算する因子一組がユーザ間で直交する符号になっていると、カザック符号の直交性を維持しつつ各ユーザを符号で直交させることができる。但し、１つの直交符号の乗算される複数のブロックは全て同じ内容でなければならない。図示の例では、第１ユーザUE１についての第１因子及び第２因子は共に「Mod.a」であり、第３因子及び第４因子は共に「Mod.b」であり、第５因子及び第６因子は共に「Mod.c」である。同様に、第２ユーザUE２についての第１因子及び第２因子は共に「Mod.x」であり、第３因子及び第４因子は共に「Mod.y」であり、第５因子及び第６因子は共に「Mod.z」である。このため第１〜第１２因子で運ぶ情報の内容が或る程度制限されてしまうが、図５で説明されたようにACK/NACK等を表現するのに必要なビット数は比較的少ないので、そのような制約は致命的にはならない。
【００８１】
ブロック拡散符号（１，１）及び（１，−１）で第１及び第２ユーザ装置UE1,UE2を区別できるので、第１及び第２ユーザ装置に使用されるカザック符号のシフト量は同じでもよい（巡回シフト量Δを異ならせることは必須でない。）。説明の便宜上、ロングブロックに乗算される因子が説明されているが、ショートブロックSBに何らかの因子が乗算されてもよい。
【００８２】
図１５は第１〜第１２因子及びブロック拡散符号の具体例を示す図である。図１５（１）は図１４に示される例と同様であり、第１〜第１２因子が図５に示されるようなACKを表すことが想定されている。更に図１５（１）では２つのブロック毎に直交符号系列が乗算され、第１及び第２ユーザ装置が互いに区別される。
【００８３】
図１５（２）は直交拡散符号長が４の場合を示す。この場合、ロングブロック４つに４つの因子が乗算され、４ユーザが符号多重される。図示の例では、４つの直交符号
（＋１，＋１，＋１，＋１，），
（＋１，−１，＋１，−１，），
（＋１，＋１，−１，−１，）及び
（＋１，−１，−１，＋１）
が使用される。上述したように、各ユーザ装置から送信されるサブフレームでは、４つのブロックで同じデータ（例えば、第１ユーザについてはMod.a）が変調されることを要する。このように符号長は２，４だけでなく適切な如何なる長さの直交符号が使用されてもよい。符号長はユーザ数及び帯域等に依存して例えば基地局装置で決定されてよい。
【００８４】
図１５（３）はCQIが送信される場合を示す。図５（Ｂ）の場合と同様に、CQIを表現するビット各々がCQI1〜CQI5で表現されている。
【００８５】
なお、直交符号には適切な如何なる直交符号が利用されてもよい。図示の例のように符号の成分はプラスマイナス１でもよいし、或いは
(１，１，１)，
(1,exp(j2π/3), exp(j4π/3))及び
(1,exp(j4π/3), exp(j2π/3))
のように位相因子で表現されてもよい。
【００８６】
本実施例によれば、カザック符号の巡回シフト量だけでなく、ブロック拡散符号をも利用することで、符号による直交多重数を第1実施例の場合より多く確保できる。ＣＤＭ及びＦＤＭが併用される場合に、ＣＤＭによる多重可能数が増えるので、FDMを利用することに起因する帯域幅の変更を更に抑制することができる。帯域幅変更を通知する頻度及びそれに必要な無線リソースを大幅に減らすことができる。
【実施例３】
【００８７】
図１６はブロック拡散符号を利用する本発明の第３実施例によるユーザ装置を示す。図示のユーザ装置は図１１のユーザ装置と、１個のロングブロックで数ビット〜数十ビットの情報を送信できる点が大きく異なる。図１６にはブロック毎の変調パターン生成部の代わりに送信データ系列生成部３４０が備わっている。また、図示のユーザ装置は、カザック系列を使用しないため、カザック符号生成部３３２及び巡回シフト部３３４は省略される。
【００８８】
送信データ系列生成部３３８は、送達確認情報(ACK/NACK)又はチャネル状態情報(CQI)を示すデータ系列を生成する。
【００８９】
ブロック毎の変調部３０８は、送信データ系列生成部３４０により入力された送信データ系列をロングブロック１つ分に対応させ、各ロングブロックに直交符号系列を乗算する。さらに、直交符号系列が乗算された各ロングブロックに後述するブロック拡散部３３５により用意された所定数の因子一組（ブロック拡散符号）を乗算する。
【００９０】
ブロック拡散部３３５は、所定数の複数個の因子一組（ブロック拡散符号）を用意し、各因子はロングブロック（LB）各々に乗算される。ブロック拡散符号は直交符号系列であり、どの直交符号系列が使用されるかについては符号情報特定部３３０からの情報で指定される。
【００９１】
図１７には、ロングブロックにマッピングされる直交符号系列が乗算された送信データ系列を生成する具体例を示す。
【００９２】
送達確認情報(ACK/NACK)又はチャネル状態情報(CQI)を示す数ビット〜数十ビットのデータ系列、例えばａ１、ａ２、ａ３、・・・、ａＮ（Ｎは、Ｎ＞０の整数）が生成される。また、直交系列Ｃ１、Ｃ２、Ｃ３、Ｃ４、・・・、ａＭ（Ｍは、Ｍ＞０の整数）が用意される。例えば、拡散率がＭの場合には、Ｃ１、Ｃ２、Ｃ３、・・・、ＣＭが用意される。したがって、拡散率が４の場合には、Ｃ１、Ｃ２、Ｃ３、Ｃ４が用意される。以下、一例として拡散率が４の場合について説明するが、４以外の場合についても同様である。
【００９３】
データ系列に直交系列が乗算される。すなわち、ａ１×Ｃ１、ａ１×Ｃ２、ａ１×Ｃ３、ａ１×Ｃ４、ａ２×Ｃ１、・・・、ａ４×Ｃ４が行われる。その後、乗算される直交系列別に並び替えが行われる。
【００９４】
その結果、データ系列に直交系列が乗算されるブロックが拡散率（拡散符号系列）の数だけ生成される。これらのブロックは各ロングブロックにマッピングされ、その後ブロック拡散符号が乗算される。
【００９５】
第１及び第２実施例に係るユーザ装置では、各ロングブロックで１ビットの情報しか送信することができなかったが、このように構成することにより、複数のビット、例えばＮビットの情報を送信することができる。
【００９６】
例えば、拡散率が４で、送信する情報が４ビットである場合、４個のロングブロックそれぞれで４ビットが送信されるため、実質的には１ロングブロックあたり１ビットの情報が送信されるのと変わらない。しかし、拡散率が４で、送信する情報が１２ビットである場合には、４個のロングブロックそれぞれで１２ビットが送信されるため、実質的には１ロングブロックあたり３ビットの情報を送信することができる。
【００９７】
図１８はブロック拡散符号を利用する本発明の第３実施例による基地局装置を示す。図示の基地局装置は図１２の基地局装置と概ね同じであるが、カザック符号系列を示す系列番号の設定及び巡回シフト量の設定を行う必要がない点が大きく異なる。図１８の基地局装置では、符号情報設定部７２４が使用可能な周波数帯域及びブロック拡散符号が何であるかを示す情報（符号情報）を指定する。
【００９８】
本実施例においてもブロック拡散符号でユーザ装置を区別できる。例えば、直交拡散符号長が４の場合、４個のロングブロックそれぞれに４つの因子が乗算される。例えば４ユーザが符号多重される場合には、４つの直交符号
（＋１，＋１，＋１，＋１），
（＋１，−１，＋１，−１），
（＋１，＋１，−１，−１）及び
（＋１，−１，−１，＋１）
が使用される。符号長は４だけでなく適切な如何なる長さの直交符号が使用されてもよい。符号長はユーザ数及び帯域等に依存して例えば基地局装置で決定されてよい。
【００９９】
なお、直交符号には適切な如何なる直交符号が利用されてもよい。図示の例のように符号の成分はプラスマイナス１でもよいし、或いは
(１，１，１)，
(1,exp(j2π/3), exp(j4π/3))及び
(1,exp(j4π/3), exp(j2π/3))
のように位相因子で表現されてもよい。
【０１００】
本実施例によれば、ブロック拡散を用いて、直交ＣＤＭ送信を行うことにより、第１及び第２実施例のようにカザック系列の巡回シフトを用いた場合よりも多くのビット数を送信することができる。
【０１０１】
また、ロングブロック間に乗算する直交符号（ブロック拡散符号）によりユーザを識別できる。
【０１０２】
また、ブロック拡散が適用される他の系列、例えば第２の実施例において説明したカザック系列の巡回シフトにより生成した他の系列とは、ブロック拡散により、直交ＣＤＭが可能となる。
【０１０３】
以上の実施例を含む実施形態に関し、更に、以下の項目を開示する。
【０１０４】
（１）  シングルキャリア方式で少なくとも上り制御チャネルを基地局装置に送信するユーザ装置であって、
下りデータチャネルに対する肯定応答又は否定応答を示す送達確認情報を用意する手段と、
下りチャネル状態を示すチャネル状態情報を用意する手段と、
前記送達確認情報及び前記チャネル状態情報の少なくとも一方を含む上り制御チャネルを作成する制御チャネル生成手段と、
上りデータチャネルの送信用にリソースが割り当てられていない場合に、前記上り制御チャネルを所定の専用帯域で送信する手段と、
を有し、前記上り制御チャネルは、当該ユーザ装置用の直交符号系列の全チップに同じ因子が乗算された系列を含む単位ブロックを１つ以上含む
ことを特徴とするユーザ装置。
【０１０５】
（２）  前記直交符号系列が、カザック符号系列である
ことを特徴とする（１）記載のユーザ装置。
【０１０６】
（３）  前記因子はプラス１又はマイナス１である
ことを特徴とする（１）記載のユーザ装置。
【０１０７】
（４）  前記送達確認情報の示す内容は、１以上の単位ブロック各々に乗算されている一組の因子により表現される
ことを特徴とする（１）記載のユーザ装置。
【０１０８】
（５）  一部の単位ブロック複数個の各々に乗算されている因子が送達確認情報を表し、
別の一部の単位ブロック複数個の各々に乗算されている因子がチャネル状態情報を表す
ことを特徴とする（４）記載のユーザ装置。
【０１０９】
（６）  前記チャネル状態情報を表現する各ビットが、複数の単位ブロック各々に乗算されている一組の因子により表現される
ことを特徴とする（１）記載のユーザ装置。
【０１１０】
（７）  上位のビットに対応する単位ブロックの数は、下位のビットに対応する単位ブロックの数以上である
ことを特徴とする（６）記載のユーザ装置。
【０１１１】
（８）  上り制御チャネルに対するリソースの割当情報から、前記直交符号系列が一意に導出されるように、割当情報及び直交符号系列間に所定の対応関係が設定されている
ことを特徴とする（１）記載のユーザ装置。
【０１１２】
（９）  前記対応関係は、ユーザ多重数が所定の第１数以下ならば、前記専用帯域中の第１帯域で第１のカザック符号系列による符号分割多重方式が行われ、ユーザ多重数が所定の第１数より大きく所定の第２数以下ならば、前記専用帯域中の第２帯域で前記第１のカザック符号系列による符号分割多重方式が行われるように設定される
ことを特徴とする（８）記載のユーザ装置。
【０１１３】
（１０）  前記対応関係は、ユーザ多重数が所定の第２数より大きく所定の第３数以下ならば、前記専用帯域中の第１帯域で第２のカザック符号系列による符号分割多重方式が行われ、ユーザ多重数が所定の第３数より大きかったならば、前記専用帯域中の第２帯域で前記第２のカザック符号系列による符号分割多重方式が行われるように設定される
ことを特徴とする（９）記載のユーザ装置。
【０１１４】
（１１）  同一内容の複数個の単位ブロック各々に乗算される因子一組が、直交符号系列を表す
ことを特徴とする（１）記載のユーザ装置。
【０１１５】
（１２）  シングルキャリア方式で少なくとも上り制御チャネルを基地局装置に送信するユーザ装置で使用される方法であって、
下りデータチャネルに対する肯定応答又は否定応答を示す送達確認情報及び下りチャネル状態を示すチャネル状態情報の少なくとも一方の情報を含む上り制御チャネルを作成するステップと、
上りデータチャネルの送信用にリソースが割り当てられていない場合に、前記上り制御チャネルを所定の専用帯域で送信するステップと、
を有し、前記上り制御チャネルは、当該ユーザ装置用の直交符号系列の全チップに同じ因子が乗算された系列を含む単位ブロックを１つ以上含む
ことを特徴とする方法。
【０１１６】
（１３）  シングルキャリア方式で少なくとも上り制御チャネルを複数のユーザ装置から受信する基地局装置であって、
上り制御チャネルから、下りデータチャネルに対する肯定応答又は否定応答を示す送達確認情報及び下りチャネル状態を示すチャネル状態情報の少なくとも一方を抽出する抽出手段と、
チャネル状態情報及び前記送達確認情報に基づいて、新規パケット又は再送パケットのスケジューリングを行う手段と、
前記新規パケット又は前記再送パケットを下りデータチャネルで送信する手段と、
を有し、前記上り制御チャネルは、当該ユーザ装置用の直交符号系列の全チップに同じ因子が乗算された系列を含む単位ブロックを１つ以上含み、
前記抽出手段は、単位ブロック各々に乗算された因子を判定することで、前記送達確認情報及び前記チャネル状態情報の少なくとも一方の内容を特定する
ことを特徴とする基地局装置。
【０１１７】
（１４）  前記直交符号系列がカザック符号系列であり、
ユーザ多重数が所定の第１数以下ならば、上り制御チャネル用の専用帯域中の第１帯域で第１のカザック符号系列による符号分割多重方式が行われ、ユーザ多重数が所定の第１数より大きく所定の第２数以下ならば、前記専用帯域中の第２帯域で前記第１のカザック符号系列による符号分割多重方式が行われるように、直交符号系列及び送信帯域がユーザ装置に指示される
ことを特徴とする（１３）記載の基地局装置。
【０１１８】
（１５）  ユーザ多重数が所定の第２数より大きく所定の第３数以下ならば、前記専用帯域中の第１帯域で第２のカザック符号系列による符号分割多重方式が行われ、ユーザ多重数が所定の第３数より大きかったならば、前記専用帯域中の第２帯域で前記第２のカザック符号系列による符号分割多重方式が行われるように設定されるように、直交符号系列及び送信帯域がユーザ装置に指示される
ことを特徴とする（１４）記載の基地局装置。
【０１１９】
（１６）  前記単位ブロックに含まれている直交符号系列が、チャネル推定、パスサーチ及び同期検出の１つ以上のための参照信号として使用される
ことを特徴とする（１３）記載の基地局装置。
【０１２０】
（１７）  同一内容の複数個の単位ブロック各々に乗算された因子一組が、直交符号系列を表す
ことを特徴とする（１３）記載の基地局装置。
【０１２１】
（１８）  シングルキャリア方式で少なくとも上り制御チャネルを複数のユーザ装置から受信する基地局装置で使用される方法であって、
上り制御チャネルから、下りデータチャネルに対する肯定応答又は否定応答を示す送達確認情報及び下りチャネル状態を示すチャネル状態情報の少なくとも一方を抽出する抽出ステップと、
チャネル状態情報及び前記送達確認情報に基づいて、新規パケット又は再送パケットのスケジューリングを行うステップと、
前記新規パケット又は前記再送パケットを下りデータチャネルで送信するステップと、
を有し、前記上り制御チャネルは、当該ユーザ装置用の直交符号系列の全チップに同じ因子が乗算された系列を含む単位ブロックを１つ以上含み、
前記抽出ステップは、単位ブロック各々に乗算された因子を判定することで、前記送達確認情報及び前記チャネル状態情報の少なくとも一方の内容を特定する
ことを特徴とする方法。
【０１２２】
（１９）  シングルキャリア方式で少なくとも上り制御チャネルを基地局装置に送信するユーザ装置であって、
下りデータチャネルに対する肯定応答又は否定応答を示す送達確認情報を用意する手段と、
下りチャネル状態を示すチャネル状態情報を用意する手段と、
前記送達確認情報及び前記チャネル状態情報の少なくとも一方を含む上り制御チャネルを作成する制御チャネル生成手段と、
上りデータチャネルの送信用にリソースが割り当てられていない場合に、前記上り制御チャネルを所定の専用帯域で送信する手段と、
を有し、前記上り制御チャネルは所定のデータサイズの単位ブロックを複数個含み、同一内容の複数個の単位ブロック各々に乗算される因子一組が、直交符号系列を表す
ことを特徴とするユーザ装置。
【０１２３】
（２０）  シングルキャリア方式で少なくとも上り制御チャネルを基地局装置に送信するユーザ装置で使用される方法であって、
下りデータチャネルに対する肯定応答又は否定応答を示す送達確認情報及び下りチャネル状態を示すチャネル状態情報の少なくとも一方の情報を含む上り制御チャネルを作成するステップと、
上りデータチャネルの送信用にリソースが割り当てられていない場合に、前記上り制御チャネルを所定の専用帯域で送信するステップと、
を有し、前記上り制御チャネルは、所定のデータサイズの単位ブロックを複数個含み、同一内容の複数個の単位ブロック各々に乗算される因子一組が、直交符号系列を表す
ことを特徴とする方法。
【０１２４】
（２１）  シングルキャリア方式で少なくとも上り制御チャネルを複数のユーザ装置から受信する基地局装置であって、
上り制御チャネルから、下りデータチャネルに対する肯定応答又は否定応答を示す送達確認情報及び下りチャネル状態を示すチャネル状態情報の少なくとも一方を抽出する抽出手段と、
チャネル状態情報及び前記送達確認情報に基づいて、新規パケット又は再送パケットのスケジューリングを行う手段と、
前記新規パケット又は前記再送パケットを下りデータチャネルで送信する手段と、
を有し、前記上り制御チャネルは、所定のデータサイズの単位ブロックを複数個含み、同一内容の複数個の単位ブロック各々に乗算された因子一組が直交符号系列を表し、
前記抽出手段は、単位ブロック各々に乗算された別の因子を判定することで、前記送達確認情報及び前記チャネル状態情報の少なくとも一方の内容を特定する
ことを特徴とする基地局装置。
【０１２５】
（２２）  シングルキャリア方式で少なくとも上り制御チャネルを複数のユーザ装置から受信する基地局装置で使用される方法であって、
上り制御チャネルから、下りデータチャネルに対する肯定応答又は否定応答を示す送達確認情報及び下りチャネル状態を示すチャネル状態情報の少なくとも一方を抽出する抽出ステップと、
チャネル状態情報及び前記送達確認情報に基づいて、新規パケット又は再送パケットのスケジューリングを行うステップと、
前記新規パケット又は前記再送パケットを下りデータチャネルで送信するステップと、
を有し、前記上り制御チャネルは所定のデータサイズの単位ブロックを複数個含み、同一内容の複数個の単位ブロック各々に乗算された因子一組が直交符号系列を表し、
前記抽出ステップは、単位ブロック各々に乗算された別の因子を判定することで、前記送達確認情報及び前記チャネル状態情報の少なくとも一方の内容を特定する
ことを特徴とする方法。
【０１２６】
（２３）  シングルキャリア方式で少なくとも上り制御チャネルを基地局装置に送信するユーザ装置であって、
下りデータチャネルに対する肯定応答又は否定応答を示す送達確認情報を用意する手段と、
下りチャネル状態を示すチャネル状態情報を用意する手段と、
前記送達確認情報及び前記チャネル状態情報の少なくとも一方を含む上り制御チャネルを作成する制御チャネル生成手段と、
上りデータチャネルの送信用にリソースが割り当てられていない場合に、前記上り制御チャネルを所定の専用帯域で送信する手段と、
を有し、
前記上り制御チャネルは所定のデータサイズの単位ブロックを複数個含み、同一内容の複数個の単位ブロック各々に乗算される因子一組が、直交符号系列を表し
前記単位ブロックは、前記制御チャネルに拡散符号系列が乗算されたものである
ことを特徴とするユーザ装置。
【０１２７】
（２４）  シングルキャリア方式で少なくとも上り制御チャネルを基地局装置に送信するユーザ装置で使用される方法であって、
下りデータチャネルに対する肯定応答又は否定応答を示す送達確認情報及び下りチャネル状態を示すチャネル状態情報の少なくとも一方の情報を含む上り制御チャネルを作成するステップと、
上りデータチャネルの送信用にリソースが割り当てられていない場合に、前記上り制御チャネルを所定の専用帯域で送信するステップと、
を有し、
前記上り制御チャネルは、所定のデータサイズの単位ブロックを複数個含み、同一内容の複数個の単位ブロック各々に乗算される因子一組が、直交符号系列を表し、
前記単位ブロックは、前記制御チャネルに拡散符号系列が乗算されたものである
ことを特徴とする方法。
【０１２８】
（２５）  シングルキャリア方式で少なくとも上り制御チャネルを複数のユーザ装置から受信する基地局装置であって、
上り制御チャネルから、下りデータチャネルに対する肯定応答又は否定応答を示す送達確認情報及び下りチャネル状態を示すチャネル状態情報の少なくとも一方を抽出する抽出手段と、
チャネル状態情報及び前記送達確認情報に基づいて、新規パケット又は再送パケットのスケジューリングを行う手段と、
前記新規パケット又は前記再送パケットを下りデータチャネルで送信する手段と、
を有し、
前記上り制御チャネルは、所定のデータサイズの単位ブロックを複数個含み、同一内容の複数個の単位ブロック各々に乗算された因子一組が直交符号系列を表し、前記単位ブロックは、前記制御チャネルに拡散符号系列が乗算され、
前記抽出手段は、単位ブロック各々に乗算された別の因子を判定することで、前記送達確認情報及び前記チャネル状態情報の少なくとも一方の内容を特定する
ことを特徴とする基地局装置。
【０１２９】
（２６）  シングルキャリア方式で少なくとも上り制御チャネルを複数のユーザ装置から受信する基地局装置で使用される方法であって、
上り制御チャネルから、下りデータチャネルに対する肯定応答又は否定応答を示す送達確認情報及び下りチャネル状態を示すチャネル状態情報の少なくとも一方を抽出する抽出ステップと、
チャネル状態情報及び前記送達確認情報に基づいて、新規パケット又は再送パケットのスケジューリングを行うステップと、
前記新規パケット又は前記再送パケットを下りデータチャネルで送信するステップと、
を有し、前記上り制御チャネルは所定のデータサイズの単位ブロックを複数個含み、同一内容の複数個の単位ブロック各々に乗算された因子一組が直交符号系列を表し、前記単位ブロックは、前記制御チャネルに拡散符号系列が乗算され、
前記抽出ステップは、単位ブロック各々に乗算された別の因子を判定することで、前記送達確認情報及び前記チャネル状態情報の少なくとも一方の内容を特定する
ことを特徴とする方法。
【符号の説明】
【０１３０】
３０２  CQI推定部
３０４  ACK/NACK判定部
３０６  ブロック毎の変調パターン生成部
３０８  ブロック毎の変調部
３１０  離散フーリエ変換部（DFT）
３１２  サブキャリアマッピング部
３１４  逆高速フーリエ変換部（IFFT）
３１６  サイクリックプレフィックス（CP）付加部
３１８  多重部
３２０  RF送信回路
３２２  電力増幅器
３２４  デュプレクサ
３３０  符号情報特定部
３３２  カザック符号生成部
３３４  巡回シフト部
３３５  ブロック拡散部
３３６  周波数設定部
３３８  パイロット信号生成部
３４０  送信データ系列生成部
７０２  デュプレクサ
７０４  RF受信回路
７０６  受信タイミング推定部
７０８  高速フーリエ変換部（FFT）
７１０  チャネル推定部
７１２  サブキャリアデマッピング部
７１４  周波数領域等化部
７１６  逆離散フーリエ変換部（IDFT）
７１８  復調部
７２０  再送制御部
７２２  スケジューラ
７２４  符号情報設定部
【図１】
2010114942.tif 000003
【図２】
2010114942.tif 000004
【図３】
2010114942.tif 000005
【図４】
2010114942.tif 000006
【図５】
2010114942.tif 000007
【図６】
2010114942.tif 000008
【図７】
2010114942.tif 000009
【図８】
2010114942.tif 000010
【図９】
2010114942.tif 000011
【図１０】
2010114942.tif 000012
【図１１】
2010114942.tif 000013
【図１２】
2010114942.tif 000014
【図１３】
2010114942.tif 000015
【図１４】
2010114942.tif 000016
【図１５】
2010114942.tif 000017
【図１６】
2010114942.tif 000018
【図１７】
2010114942.tif 000019
【図１８】
2010114942.tif 000020